(57)【特許請求の範囲】
【請求項１】
基板と、該基板上に固定された、基本的に円筒状のマウント枠と、該マウント枠の外周に螺着されるレンズ締付リングとを具備し、前記マウント枠は、少なくともその端部が複数個の領域に分断されており、これらの複数の領域の一部がレンズ締付部を構成し、該複数のレンズ締付部は等間隔に配置され、その端部外側には、基板側の径が大きくなるテーパー部が形成されており、前記レンズ締付リングの内側には、前記テーパー部と当接するテーパー部が形成されており、該レンズ締付リングを回転させて基板側に移動させると前記レンズ締付部の前記テーパー部が該レンズ締付リングの前記テーパー部により内側に押圧されて前記マウント枠が変形し、前記複数個の領域の一部が前記レンズ締付部を構成し、他の領域は該レンズ締付部よりも基板からの距離が遠いフランジバック(FB)調整リング装着部を構成し、該FB調整リング装着部の外周部に螺着されるFB調整リングをさらに具備し、螺着された該FB調整リングを回転させることにより、該FB調整リングと基板との距離が変化し、該FB調整リングの頂部は、フランジ部を有するレンズ枠が前記マウント枠内に挿入された際に該フランジ部と当接して前記レンズ枠を支持する、ボードカメラ用レンズマウント。
【請求項２】
前記マウント枠は、着脱可能な台座を介して前記基板に固定される請求項１記載のボードカメラ用レンズマウント。
【請求項３】
前記レンズ締付部が２〜４個形成される請求項１又は２記載のボードカメラ用レンズマウント。
【請求項４】
前記レンズ締付部及び前記FBリング装着部とが同数形成され、それぞれ２〜４個形成される請求項３記載のボードカメラ用レンズマウント。
【発明の詳細な説明】
【技術分野】
【０００１】
本発明は、ボードカメラのレンズを装着するボードカメラ用レンズマウントに関する。
【背景技術】
【０００２】
従来の典型的なボードカメラ用レンズマウントの模式断面図を図３に示す。電子回路がプリントされた基板１０(printed circuit board, PCB)上にCCDセンサー１２が載置されている。基板１０上には、CCDセンサー１２を囲包する略円筒状のマウント枠（カメラマウント）１４が固定される。マウント枠１４の内側には、レンズ２０を保持するレンズ枠１６の下部１６ａが挿入され、一方、マウント枠１４の頂部がレンズ枠１６のフランジ部１６ｂに支持される。マウント枠１４には、１個〜３個のねじ孔１８が設けられ、このねじ孔１８に螺着されるセットビス(図示せず)をねじ込んでその先端でレンズ枠の下部１６ａを内側に向かって押圧し、それによってレンズ枠１６を固定している。
【０００３】
この従来のボードカメラ用レンズマウントでは、ネジ孔１８が１個の場合、レンズ枠の下部１６ａが一方向から押圧されるため、レンズ枠１６が傾き、光軸がずれる。さらにレンズ光軸とセンサー面との直角度も維持されず、いわゆる「光軸倒れ」が生じる。光軸ずれや光軸倒れが起きると、片ボケ等が生じ、像性能が悪影響を受ける。ねじ孔１８を等間隔に配置して、等間隔に複数のセットビスで固定する場合でも、セットビスのねじ込みが手作業であるため、ねじ込み加減が不均等になって、やはり光軸ずれや光軸倒れが生じる。
【０００４】
また、図４に示すようにマウント枠１４の一部を切欠いてスリット部を形成し、このスリット部の位置に、対向する幅広部を設け、この幅広部を貫通するねじ孔２２に１本の締付ビスをねじ込んでマウント枠を締め付けて変形させ、それによってレンズ枠の下部１６ａを固定するボードカメラ用レンズマウントも知られている。これによれば一本の締付ビスにより固定が可能である。
【０００５】
しかしながら、このボードカメラ用レンズマウントでは、スリット部の近傍が強く締め付けられ、全周を均一に締め付けることが困難であり、上記した光軸ずれや光軸倒れの問題が生じる。
【先行技術文献】
【特許文献】
【０００６】
【特許文献１】特開2000-125162号公報
【発明の概要】
【発明が解決しようとする課題】
【０００７】
本発明の目的は、簡単な操作により、レンズ枠の下部を均等に締め付けることができ、それによって、光軸ずれや光軸倒れの問題が生じない、ボードカメラ用レンズマウントを提供することである。
【課題を解決するための手段】
【０００８】
本願発明者は鋭意研究の結果、マウント枠の少なくとも上部を複数の部分に分断すると共に、マウント枠の一部の外周に雄ねじを切り、これに螺着されるレンズ締付リングを設け、レンズ締付リングの内側及びマウント枠の上部の外側に互いに当接するテーパー部を設け、レンズ締付リングを下方にねじ込むことにより、マウント枠のテーパー部が内側に押圧されてマウント枠が変形し、それによってレンズ枠の下部を締め付ける構成とすることにより、レンズ締付リングを回転させるという極めて単純な作業によりレンズ枠の下部を複数の方向から均等に締め付けることができ、それによって、光軸ずれや光軸倒れの問題を回避できることに想到し、本発明を完成した。
【０００９】
すなわち、本発明は、基板と、該基板上に固定された、基本的に円筒状のマウント枠と、該マウント枠の外周に螺着されるレンズ締付リングとを具備し、前記マウント枠は、少なくともその端部が複数個の領域に分断されており、これらの複数の領域の全部又は複数のその一部がレンズ締付部を構成し、該複数のレンズ締付部は等間隔に配置され、その端部外側には、基板側の径が大きくなるテーパー部が形成されており、前記レンズ締付リングの内側には、前記テーパー部と当接するテーパー部が形成されており、該レンズ締付リングを回転させて基板側に移動させると前記レンズ締付部の前記テーパー部が該レンズ締付リングの前記テーパー部により内側に押圧されて前記マウント枠が変形し、前記複数個の領域の一部が前記レンズ締付部を構成し、他の領域は該レンズ締付部よりも基板からの距離が遠いフランジバック(FB)調整リング装着部を構成し、該FB調整リング装着部の外周部に螺着されるFB調整リングをさらに具備する、ボードカメラ用レンズマウントを提供する。
【発明の効果】
【００１０】
本発明のボードカメラ用レンズマウントによれば、レンズ締付リングを回転させるという極めて単純な作業によりレンズ枠の下部を複数の方向から均等に締め付けることができ、それによって、光軸ずれや光軸倒れの問題を回避できる。さらに、本発明のレンズマウントは、カメラ側のレンズマウントという１つの部材で、フランジバック調整、光軸出し、マウント締め付けの３つの機能を一度に具備させることが可能であり、実用上、非常に有利である。
【図面の簡単な説明】
【００１１】
【図１】(A)は、本発明のボードカメラ用レンズマウントの好ましい１実施例の断面図、(B)は、台座を描いた平面図であり、(A)は(B)のA-A'線断面図である。
【図２】図２は、本発明のボードカメラ用レンズマウントの好ましい１実施例のマウント枠の平面図である。
【図３】従来のボードカメラ用レンズマウントの模式断面図である。
【図４】従来の他のボードカメラ用レンズマウントの模式断面図である。
【発明を実施するための形態】
【００１２】
以下、図面に基づき、本発明の好ましい１実施例を説明する。なお、本明細書において、「上」、「上部」、「下」、「下方」等の上下を表す語は、基板が下側、レンズが上側に来るように配置した状態での上下を表している。すなわち、図１(A)の断面図に表されている上下を示している。従って、「上部」は端部、「下」、「下方」は基板側である。
【００１３】
図１には、本発明のボードカメラ用レンズマウントの好ましい１実施例が示されている。図１の(B)は、この実施例における台座を示す平面図、図１の(A)は、この実施例のマウントの断面図であり、図１の(B)のA-A'線で切断した断面図である。なお、上記した従来例と同様な部材には同じ参照番号を付している。
【００１４】
電子回路がプリントされた基板１０上には、CCDセンサー１２が搭載されている。基板１０上には、台座２４が複数のねじにより着脱可能に固定されている。台座２４は、図１の(B)に示すように略正方形の形をしているが、後述するマウント枠１４をその上に固定できる形状であれば任意の形状でよい。なお、台座２４は、異なる厚さの台座と交換することにより、レンズとCCDセンサー１２との距離を大きく変えることができるようにするために設けているものであり、同一のレンズを用いて量産品を生産する場合や、焦点距離のばらつきが、後述するＦＢ調整リングにより調整可能な狭い範囲にある異なる種類のレンズを用いる場合には、必要ではなく、これらの場合には後述するマウント枠１４を直接基板１０上に固定してもよい。
【００１５】
台座２４上にはマウント枠１４が固定されている。マウント枠１４は、基本的に円筒状の形状をしている。「基本的に円筒状」とは、後述の通り、マウント枠１４は少なくともその上部が間隙により分断されてレンズ締付部やフランジバック(FB)調整リング装着部を構成するが、これらのことを除けば全体として円筒状をしているという意味である。マウント枠は、少なくともその上部、すなわちこの実施例では、円筒の頂部（調整リング装着部（後述）の頂部）から５０％〜７０％程度の長さの隙間２６により分断されている（図２参照）。６個の上下方向の隙間２６が、等間隔に設けられており、それによってマウント枠１４の上部は６個の同じ長さ（円周に沿った長さ）の部分に分断されている。分断された部分のうち、３つがレンズ締付部１４ａを構成し、残りの３つがＦＢ調整リング装着部１４ｂを構成している。レンズ締付部１４ａの個数は３個に限定されず、任意に設定できるが、通常、２〜４個程度である。また、この例では、レンズ締付部１４ａとＦＢ調整リング装着部１４ｂが同数である。レンズ締付部１４ａとＦＢ調整リング装着部１４ｂは互い違いに配置され、従って、レンズ締付部１４ａは、等間隔に配置されている。レンズ締付部１４ａの上端部外側には、下方側の径が大きくなるテーパー部１４ａ’が形成されている。また、テーパー部１４ａ’の下には、肉盗み部１４ｃが形成され、従って、テーパー部１４ａ’を支持する部分のレンズ締付部１４ａの肉厚は図１(A)に示されるように薄くなっており、これによってレンズ締付部１４ａの上部は、容易に内側に向かって変形することができる。一方、ＦＢ調整リング装着部１４ｂは、レンズ締付部１４ａよりも高さが高く、レンズ締付部１４ａよりも突出している部分の外側に後述するＦＢ調整リング２８が螺着される。
【００１６】
マウント枠１４の外周には、レンズ締付リング３０が螺着される。レンズ締付リング３０の内側には、前記マウント枠のテーパー部１４ａ’と当接するテーパー部３０ａが形成されており、レンズ締付リング３０を回転させてレンズ締付リング３０を下方に移動させるとレンズ締付部のテーパー部１４ａ’がレンズ締付リングのテーパー部３０ａにより内側に押圧されて変形する構成となっている。レンズ締付リング３０には、指との係りを良くする突起３０ｂが形成されているが、これは形成しなくても特に問題はない。前記したＦＢ調整リング装着部１４ｂの上端部の外周には、ＦＢ調整リング２８が螺着される。ＦＢ調整リング２８は、回転させることにより上下方向に移動する。
【００１７】
上記したレンズマウントを用いてレンズ枠を装着する場合には、レンズ枠１６の円筒状の下部１６ａをマウント枠１４の内部に挿入する。なお、この挿入は、単なる嵌挿でもよいし、レンズ枠１６の円筒状の下部１６ａの外側とマウント枠１４の内側にそれぞれ螺子を切り、螺合させて挿入してもよい。円筒状のマウント枠１４の内径は、レンズ枠１６の円筒状の下部１６ａの外径よりもやや大きいが、後述する締付によって固定できる程度にレンズ枠１６の下部１６ａの外径とほぼ同じになっている。レンズ枠１６は、そのフランジ部１６ｂが、ＦＢ調整リング２８の頂部に当接して支持されるまで挿入される。ここで、ＦＢ調整リング２８を回転させ、それによってレンズ枠１６を上下させてフォーカシングを行う。すなわち、フランジ部１６ｂは、ＦＢ調整リング２８の頂部に当接した状態で固定されるので、ＦＢ調整リング２８を下側に移動した場合には、レンズ枠１６も、フランジ部１６ｂがＦＢ調整リング２８の頂部に当接するまで下側に移動させる。フォーカシングが完了した時点で、レンズ締付リング３０を回転させて下方向に移動させる。そうすると、レンズ締付リング３０のテーパー部３０ａの下方向への移動により、レンズ締付部のテーパー部１４ａ’が内側方向に押圧されてレンズ締付部１４ａの上部が内側に向かって変形する。これにより、レンズ枠１６の下部１６ａがレンズ締付部１４ａの上部によって押圧され、フォーカスが合っている位置で固定される。上記の通り、レンズ締付部１４ａは、等間隔に配置され、同じ長さ（円周に沿った長さ）を有しているので、レンズ枠１６の下部１６ａは、３つの方向から同時にかつ均一に押圧される。このため、光軸ずれや光軸倒れが起きない。
【００１８】
上記の通り、本発明のボードカメラ用レンズマウントによれば、レンズ締付リング３０を回転させて下方向に移動させるという、熟練を要しない極めて単純な作業により、光軸ずれや光軸倒れを起こすことなくレンズ枠１６を固定することができる。
【００１９】
なお、上記実施例では、ＦＢ調整リング２８を設け、また、これを螺着するためにＦＢ調整リング装着部１４ｂを設けたが、同一のレンズを用いて量産品を生産する場合などは、初めからそのレンズの焦点距離がわかっているので、フォーカシングが合った状態になるように寸法設計しておけば、ＦＢ調整リング２８は不要であり、従って、ＦＢ調整リング装着部１４ｂも不要である。この場合には、分断されたマウント枠の上部は全てレンズ締付部１４ａとして用いることができ、また、レンズ枠１６のフランジ部１６ｂは、レンズ締付部１４ａの頂部に支持される。
【符号の説明】
【００２０】
１０  基板
１２  CCDセンサー
１４  マウント枠
１４ａ  レンズ締付部
１４ｂ  ＦＢ調整リング装着部
１４ｃ  肉盗み部
１６  レンズ枠
１６ａ  レンズ枠の下部
１６ｂ  レンズ枠のフランジ部
１８  ねじ孔
２０  レンズ
２２  ねじ孔
２４  台座
２６  上下方向の隙間
２８  ＦＢ調整リング
３０  レンズ締付リング
３０ａ  レンズ締付リングのテーパー部
３０ｂ  レンズ締付リングの突起
【図１】
0005194292.tif 000002
【図２】
0005194292.tif 000003
【図３】
0005194292.tif 000004
【図４】
0005194292.tif 000005